(57)【特許請求の範囲】
【請求項１】
アクセス・ポイントを動作させる方法であって：
前記アクセス・ポイントにより、関連付けプロセス中に第１の局からＴＩＭ（Transmit-Indicator-Map）不要の指示を受信するステップであって、前記指示は、前記第１の局がＴＩＭを必要としないこと及び前記第１の局が前記ＴＩＭを復号化しないこと、並びに前記第１の局が非ＴＩＭ（Transmit-Indicator-Map）モードで動作するように設定されることを示す、ステップ；
前記アクセス・ポイントにより、前記第１の局からアップリンク・データを受信するステップ；
前記アクセス・ポイントにより、前記第１の局を宛先として意図したダウンリンク・データが前記アクセス・ポイントにおいて利用可能であるか否かを判定するステップ；および、
前記アクセス・ポイントが、前記アップリンク・データに応答して、前記第１の局を宛先として意図した前記ダウンリンク・データを前記第１の局に対して送信するステップ；
を具備する方法。
【請求項２】
メッセージを、ＴＩＭモードで動作している第２の局に対して送信するステップをさらに具備し、前記メッセージは、前記第２の局が前記非ＴＩＭモードでの動作に切り替わる旨を示すことを特徴とする、請求項１記載の方法。
【請求項３】
前記第１の局がＴＩＭモードでの動作に切り替わる旨を示すメッセージを前記第１の局に対して送信するステップをさらに具備する、請求項１記載の方法。
【請求項４】
局を動作させる方法であって、前記局は非ＴＩＭ（Transmit-Indicator-Map）モードで動作するよう設定され、前記方法は：
前記局により、アクセス・ポイントに対してＴＩＭ（Transmit-Indicator-Map）不要の指示を送信するステップであって、前記指示は、前記局がＴＩＭを必要とせず前記ＴＩＭを復号化しないことを示す、ステップ；
前記局により、アップリンク・データをアクセス・ポイントに対して送信するステップ；および、
前記局により、前記アップリンク・データに応答して、前記局を宛先として意図するダウンリンク・データを前記アクセス・ポイントから受信するステップ；
を具備する方法。
【請求項５】
前記局は前記ＴＩＭの復号化を回避する、請求項４記載の方法。
【請求項６】
前記局により、前記局がＴＩＭモードに切り替わる旨を示すメッセージを、前記アクセス・ポイントから受信するステップ；および、
前記局により、前記ＴＩＭモードに切り替わるステップ；
をさらに具備する、請求項４及び５のいずれか一項記載の方法。
【請求項７】
請求項１乃至請求項３の中のいずれか一項に記載された方法に従うステップを実施するように構成された手段を具備するアクセス・ポイント。
【請求項８】
請求項４乃至請求項６の中のいずれか一項に記載された方法に従うステップを実施するように構成された手段を具備する局。
【発明の詳細な説明】
【技術分野】
【０００１】
本開示は、一般的にはデジタル通信と関係し、より具体的には、通信リンク制御のためのシステムおよび方法と関係する。
【背景技術】
【０００２】
ＩＥＥＥ８０２．１１国際標準仕様に準拠した通信システム（ＷｉＦｉとしても知られている）において、アクセス・ポイント（ＡＰ）は、１つ以上のステーション（ＳＴＡ）から送信を受信し、それら送信の意図された宛先へと当該送信を転送することによって１つ以上のステーション（ＳＴＡ）に応対する。同様に、ＡＰは、自身がカバーするＳＴＡの中の１つを意図された宛先とする送信を受信し、当該意図されたＳＴＡへ当該送信を転送する。送信は、通信リンクと呼ばれる片方向チャネル上において生じる。ＡＰからＳＴＡに向かう送信は、ダウンリンク（ＤＬ）送信と呼ぶことが可能である一方、ＳＴＡからＡＰに向かう送信はアップリンク（ＵＬ）送信と呼ぶことが可能である。
【発明の概要】
【０００３】
本開示に係る例示的な実施例は、通信リンク制御のためのシステムおよび方法を提供する。
【０００４】
本開示に係る例示的な側面に従い、アクセス・ポイントを動作させる方法が提供される。本開示に係る方法は、非ＴＩＭ（non-transmit-indicator-map）モードで作動するように構成された第１のステーションからの情報をアクセス・ポイントが受信するステップを含んでいる。本開示に係る方法は、第１のステーションを宛先として意図したダウンリンク・データがアクセス・ポイントにおいて利用可能であるか否かをアクセス・ポイントが判定するステップをさらに含んでいる。本開示に係る方法は、第１のステーションを宛先として意図したダウンリンク・データの少なくとも１つをアクセス・ポイントが第１のステーションへと送信し、第１のステーションを宛先として意図したダウンリンク・データがアクセス・ポイントで利用可能であることを示すデータ表示情報、ダウンリンク・データが第１のステーションのために利用可能である旨を示す情報、第１のステーションを宛先として意図したダウンリンク・データが第１のステーションへと送信されることとなる特定の時点を示す時間表示情報をアクセス・ポイントが送信するステップをさらに含んでいる。
【０００５】
本開示に係るさらに別の例示的な側面に従い、ステーションを動作させる方法が提供される。本開示に係る方法は、非ＴＩＭ（non-transmit-indicator-map）ステーションとして動作するように構成されたステーションが、アップリンク・データおよび当該ステーションを宛先として意図したダウンリンク・データの要求のうちの少なくとも一つをアクセス・ポイントに対して送信するステップを含んでいる。本開示に係る方法はさらに、当該ステーションを宛先として意図したダウンリンク・データの中の少なくとも一つ、当該ステーションを宛先として意図したダウンリンク・データがアクセス・ポイントで利用可能であることを示すデータ表示情報、ダウンリンク・データが当該ステーションのために利用可能である旨を示す情報、当該ステーションを宛先として意図したダウンリンク・データが当該ステーションへと送信されることとなる特定の時点を示す時間表示情報を、アクセス・ポイントからのステーションが受信するステップを含んでいる。
【０００６】
本開示に係るさらに別の例示的な側面に従い、アクセス・ポイントが提供される。アクセス・ポイントは受信機、送信機、および当該受信機と送信機に対して動作可能に結合されたプロセッサーを含んでいる。受信機は、非ＴＩＭ（non-  transmit-indicator-map）モードで動作するように構成されている第１のステーションから情報を取得する。送信機は、第１のステーションを宛先として意図したダウンリンク・データの少なくとも１つ、第１のステーションを宛先として意図したダウンリンク・データがアクセス・ポイントで利用可能であることを示すデータ表示情報、ダウンリンク・データが第１のステーションのために利用可能である旨を示す情報、第１のステーションを宛先として意図したダウンリンク・データが第１のステーションへと送信されることとなる特定の時点を示す時間表示情報を第１のステーションへと送信する。プロセッサーは第１のステーションを宛先として意図したダウンリンク・データがアクセス・ポイントにおいて利用可能であるか否かを判定する。
【０００７】
側面の１つの利点は、通信トラフィックを全く受信しない又は殆ど受信しないステーションがそのような通信トラフィックの表示情報を監視する必要性を無くすことが可能であるので、ステーションは長期間にわたってスリープ状態となることが出来る可能性があるという点である。従って、ステーションの電力消費量を低減することが可能であり、ステーションの電池寿命を増加させることが可能である。
【０００８】
側面のさらなる利点は、通信トラフィックを全く受信しない又は殆ど受信しないステーションは、それらを宛先アドレスとする任意の通信トラフィックを受信する準備ができていることを明示することを可能にする技術が示されているという点である。したがって、ステーションは大量の電力を消費せずに、依然として通信し続けることができる。
【０００９】
本開示およびその利点についてのより完全な理解のために、本明細書に添付された図面を考慮しながら以下の発明の詳細な説明が参照される。
【図面の簡単な説明】
【００１０】
【図１】ビーコン信号の一部を示す図。
【図２ａ】本明細書中に記述された例示的な実施例に従う例示的な通信システムを示す図。
【図２ｂ】センサー装置および通信トラフィックをオフロードする装置を含む例示的な通信システムを示す図。
【図３ａ】本明細書中に記述された例示的な実施例に従い、ＡＰがステーションのタイプを自動的に検知する際に、ＡＰ内において実行される動作の流れを示す例示的なフローチャート。
【図３ｂ】本明細書中に記述された例示的な実施例に従い、ＡＰがステーションからの宣言を使用してステーションのタイプを検知する際に、ＡＰ内において実行される動作の流れを示す例示的なフローチャート。
【図４】本明細書中に記述された例示的な実施例に従い、ＡＰが非ＴＩＭステーションにダウンリンク・データを供給する際に、ＡＰ内において実行される動作の流れを示す例示的なフローチャート。
【図５ａ】本明細書中に記述された例示的な実施例に従い、ダウンリンク・データの暗黙的な要求に応答して非ＴＩＭステーションに対してダウンリンク・データをＡＰが送信する際に、ＡＰ内において実行される動作の流れを示す例示的なフローチャート。
【図５ｂ】本明細書中に記述された例示的な実施例に従い、ダウンリンク・データの暗黙的な要求に応答して非ＴＩＭステーションに対してダウンリンク・データについての表示情報をＡＰが送信する際に、ＡＰ内において実行される動作の流れを示す例示的なフローチャート。
【図５ｃ】本明細書中に記述された例示的な実施例に従い、非ＴＩＭステーションに対してダウンリンク・データについての表示情報を、ダウンリンク・データの暗黙的な要求に応答して肯定応答にピギーバックする形でＡＰが送信する際に、ＡＰ内において実行される動作の流れを示す例示的なフローチャート。
【図５ｄ】本明細書中に記述された例示的な実施例に従い、ダウンリンク・データの明示的な要求に応答して非ＴＩＭステーションに対してダウンリンク・データをＡＰが送信する際に、ＡＰ内において実行される動作の流れを示す例示的なフローチャート。
【図６】本明細書中に記述された例示的な実施例に従い、非ＴＩＭステーションがダウンリンク・データを要求し、受信する際に、非ＴＩＭステーション内において実行される動作の流れを示す例示的なフローチャート。
【図７ａ】本明細書中に記述された例示的な実施例に従い、非ＴＩＭステーションが、暗黙的な要求によってダウンリンク・データを要求し、受信する際に、非ＴＩＭステーション内において実行される動作の流れを示す例示的なフローチャート。
【図７ｂ】本明細書中に記述された例示的な実施例に従い、非ＴＩＭステーションが、暗黙的な要求によってダウンリンク・データを要求し、ダウンリンク・データについての表示情報を受信する際に、非ＴＩＭステーション内において実行される動作の流れを示す例示的なフローチャート。
【図７ｃ】本明細書中に記述された例示的な実施例に従い、非ＴＩＭステーションが、明示的な要求によってダウンリンク・データを要求し、受信する際に、非ＴＩＭステーション内において実行される動作の流れを示す例示的なフローチャート。
【図７ｄ】本明細書中に記述された例示的な実施例に従い、非ＴＩＭステーションが、明示的な要求によってダウンリンク・データを要求し、ダウンリンク・データについての表示情報を受信する際に、非ＴＩＭステーション内において実行される動作の流れを示す例示的なフローチャート。
【図８ａ】本明細書中に記述された例示的な実施例に従い、多数のステーションのタイプをサポートするための例示的なビーコン信号を示す図。
【図８ｂ】本明細書中に記述された例示的な実施例に従い、多数のステーションのタイプをサポートするための例示的なビーコン信号を示す図。
【図８ｃ】本明細書中に記述された例示的な実施例に従い、多数のステーションのタイプをサポートするための例示的なビーコン信号を示す図。
【図９ａ】本明細書中に記述された例示的な実施例に従い、ＡＰがビーコン信号を生成する際に、ＡＰ内において実行される動作の流れを示す例示的なフローチャート。
【図９ｂ】本明細書中に記述された例示的な実施例に従い、ＴＩＭステーションがビーコン信号を受信する際に、ＴＩＭステーション内において実行される動作の流れを示す例示的なフローチャート。
【図９ｃ】本明細書中に記述された例示的な実施例に従い、非ＴＩＭステーションがビーコン信号を受信する際に、非ＴＩＭステーション内において実行される動作の流れを示す例示的なフローチャート。
【図１０】本明細書中に記述された例示的な実施例に従い、例示的な第１の通信装置を示す図。
【図１１】本明細書中に記述された例示的な実施例に従い、例示的な第２の通信装置を示す図。
【発明を実施するための形態】
【００１１】
本発明に係る例示的な実施例の動作およびその構造は以下において詳細に検討される。しかしながら本開示は、多種多様な特定の文脈において具体化することができる多くの適用可能な発明概念を提供することが理解されるべきである。以下において検討される特定の実施例は、本開示に係る特定の構造および本開示に係る仕組みを動作させる方法の単なる例示であって、本開示の技術的範囲を制限するものではない。
【００１２】
本開示に係る一つの実施例は、通信リンク制御と関係がある。例えば、一つのアクセス・ポイントにおいて、当該アクセス・ポイントは、ＴＩＭを復号化する第１のステーションへ送信されるＴＩＭ、およびＴＩＭを無視する第２のステーションへ送信されるＴＩＭを含んでいるビーコン信号をブロードキャストする。アクセス・ポイントは、第２のステーションを宛先として意図したダウンリンク・データを要求する第２のステーションから要求を受信する。アクセス・ポイントは第２のステーションを宛先として意図したダウンリンク・データがあるか否かを判断するためにチェックし、第２のステーションを宛先として意図したダウンリンク・データがある場合には、第２のステーションへダウンリンク・データを送信する。例えば、一つのステーションでは、当該ステーションは、アクセス・ポイントによって送信されたビーコン信号の共通のデータ部分を復号化するが、当該ビーコン信号のＴＩＭ部分を無視する。当該ステーションは、当該ステーションを宛先として意図したダウンリンク・データの要求を送信し、アクセス・ポイントからダウンリンク・データを受信する。
【００１３】
本開示は、特定の文脈において、すなわちダウンリンク・データ送信のためのＩＥＥＥ８０２．１１国際標準仕様に準拠した通信システムの文脈において、例示的な実施例に関して記述される。しかしながら、本開示は、ＩＥＥＥ８０２．１１国際標準仕様に準拠した通信システムにおいて、アップリンク・データ伝送に加え、他の標準仕様に準拠した通信システムおよび非標準的な通信システムにおいて、アップリンクおよび／またはダウンリンク・データ送信に対してさらに適用されることが可能であり、本開示においては、送信についての表示情報が通信装置に提示される。
【００１４】
図１は、ビーコン信号100の一部を示す。ビーコン信号100は、APによって周期的に送信され、要素識別子（要素ＩＤ）フィールド105、長さフィールド110、配送トラフィック表示マップ（ＤＴＩＭ）カウント・フィールド115、ＤＴＩＭ周期フィールド120、ビットマップ制御フィールド125および部分的な仮想ビットマップ・フィールド130を含んでいる。要素ＩＤフィールド105、長さフィールド110、ＤＴＩＭカウント・フィールド115、ＤＴＩＭ周期フィールド120、ビットマップ制御フィールド125は、部分的な仮想ビットマップ分野130に含まれているトラフィック表示マップ（ＴＩＭ）のビットマップを識別し、指定する情報を含んでいる。ＴＩＭビットマップは、ＡＰあるいはメッシュＳＴＡによって維持され、２５１個のオクテットに組織化された最大で2008ビット分の情報から構成される。ＴＩＭビットマップ中のＮ番目のビット（０≦Ｎ≦2007）は、［Ｎ／８］番目のオクテット中において、ビット番号「Ｎ  ｍｏｄ  ８」となるビット位置に対応し、ここで、各オクテットの下位ビットがビット番号０であり、各オクテットの上位ビットがビット番号７である。ＴＩＭビットマップ中の各ビットはそれぞれ、ビーコン信号100が送信される時点においてＡＰが送信しようとする基本サービス・セット（ＢＳＳ）中の特定のＳＴＡのためにバッファリングされている通信トラフィック（データ）に対応し、あるいは、ビーコン信号100が送信される時点においてメッシュＳＴＡが送信しようとするメッシュＢＳＳ（ＭＢＳＳ）内の特定の隣接ピア・メッシュＳＴＡのためにバッファリングされている通信トラフィック（データ）に対応する。
【００１５】
Ｎ番目のビットに対応するＳＴＡに関して、データ（例えば、個々に宛先アドレスが指定されたＭＳＤＵ（MAC  service  data  unit）および／またはＭＭＰＤＵ（MAC  management  protocol  data  unit））が存在しない場合、ＴＩＭビットマップ中のＮ番目のビットは「０」にセットされる。Ｎ番目のビットに対応するＳＴＡに関して、個々に宛先アドレスが指定されたデータ（例えば、ＭＳＤＵおよび／またはＭＭＰＤＵ））が存在する場合、ＴＩＭビットマップ中のＮ番目のビットは「１」にセットされる。レガシーＩＥＥＥ８０２．１１システム（例えばIEEE  802.11  a、  802.11  g、IEEE802.11  n、IEEE802.11  acに準拠するシステムなど）では、ＢＳＳの中のＳＴＡの最大個数が2007であることに留意されたい。したがって、ＴＩＭビットマップは、単一のＢＳＳ内に存在するＳＴＡを全て表わすことが可能である。
【００１６】
図２ａは、通信システム200を示している。通信システム200は、ステーション210、ステーション212、ステーション214およびステーション216等のような複数のステーションに応対するＡＰ205を含んでいる。ＡＰ205は、ＡＰ205がどのステーションのためにデータをバッファリングしたか示すＴＩＭビットマップを含んでいるビーコン信号を周期的に送信する。複数のステーションがビーコン信号をリッスンする動作を実行しており、そのような動作は、ビーコン信号を検知し、復号化する動作を含んでおり、当該ステーションがＡＰ205から送信を受信しているか否かを判断する。ステーションがＡＰ205から送信を受信している場合、当該ステーションは送信を受信するためにウェイクアップ状態のままでいることが可能である。ステーションがＡＰ205から送信を受信していない場合、ステーションはスリープ状態となるか、あるいはその他の特定の動作を実行することが可能である。
【００１７】
１ＧＨｚ未満のＷｉＦｉのために仕様書を準備するために、最近になって新しいタスク・グループ「ＴＧａｈ」が形成された。ＴＧａｈ標準仕様が規定する１ＧＨｚのＷｉＦｉは、副次的な使用法のシナリオとして、センサー・ネットワークがセルラー・ネットワークから通信トラフィックをオフロードする場合を主たる対象としている。上記仕様書が規定する要求は、6000個を超えるステーションをサポートすることである。１ＧＨｚのＷｉＦｉは、ＷｉＦｉ実装における２０ＭＨｚのクロック周波数をダウンコンバートすることにより達成された狭い帯域幅（１〜２ＭＨｚ）において動作するだろう。しかし、これは当然ながら、クロックが２０ＭＨｚの場合には一つのシンボル持続期間が４μ秒であったのをクロックを２ＭＨｚとすることによっては一つのシンボル持続期間が４０マイクロ秒の長さに増加してしまうという結果を生じる。
【００１８】
図２ｂは、通信システム250を示し、当該通信システム250は、センサー装置および通信トラフィックをオフロードする装置を含んでいる。通信システム250は、ＴＧａｈ標準仕様が規定する１ＧＨｚのＷｉＦｉとすることが可能である。通信システム250は、センサー260およびセンサー262のような複数のセンサー装置に加えて、オフロード装置265やオフロード装置267などのような複数の「通信トラフィックをオフロードする装置」に応対するＡＰ255を含んでいる。ＡＰ255は、ＡＰ255が応対する装置であってダウンリンク・データを送信する対象となる装置（例えば、センサー装置や通信トラフィック・オフロード装置に加え、その他のタイプの装置）に対して表示すべきＴＩＭビットマップを含むビーコン信号を周期的に送信することが可能である。通信システム250は、コンピューター、タブレット端末、電話、プリンタ、テレビ、リレーなどのようなその他の通信装置を含むことがさらに可能である点に留意されたい。しかしながら、説明を簡単にする必要があるとの理由から、通信システム250は、１つのＡＰ、５つのセンサー装置および３つのオフロード装置を含んでいるとして、図示されている。
【００１９】
しかしながら、センサー装置は一般には、自身の測定動作を実行し、ＡＰ255によって情報集約器に測定結果を送信し、典型的な場合においては、ダウンリンク・データを全く受信しないかあるいは殆ど受信しない。言いかえれば、センサー装置は、ＤＬ送信を殆どあるいは全く受信しない一方で、主としてＵＬ送信を実行する。従って、大半の時間にわたって、ＴＩＭビットマップ中においてセンサー装置に対応するビットは、「０」の値に設定される可能性が高い、すなわち、ダウンリンク・データが存在しない可能性が高い。
【００２０】
ユーザ機器（ＵＥ）、スマートフォン、コンピューター、タブレット端末などのようなその他の装置と同様に通信トラフィックのオフロード装置は、典型的な場合においては、より少数のＵＬ送信を実行する一方で、主としてＤＬ送信を受信する。したがって、ＴＩＭビットマップ中においてオフロード装置に対応するビットは高い確率で「１」に設定される、すなわち、高い確率でダウンリンク・データが存在すると言える。
【００２１】
さらに、通常の場合において、センサー装置は、バッテリー駆動方式であるので、電力消費量はセンサー・ネットワークにおけるさらに別の重要な検討事項である。（例えば、通信オーバーヘッド等のような）如何なる追加的なオーバーヘッドも、電池寿命をより短くしてしまうという結果を生じ、これは、バッテリー交換のための追加のコストがかかるということを意味する。一例として、もしＴＩＭビットマップがＴＧａｈ標準仕様によって規定された１ＧＨｚのＷｉＦｉにおいて使用されるならば、ＴＩＭビットマップは（１つのステーションを１ビットで表すとして）、その長さが少なくとも6000ビット長となり、ＴＩＭビットマップを含むビーコン信号の期間は、４０ミリ秒よりも長くなるであろう。４０ミリ秒の送信を能動的に受信するセンサーは、大きなエネルギー量を消費し、それによって、その電池寿命を著しく短くしてしまう。したがって、ＴＩＭビットマップを検知し、復号化するために、センサー装置および他の装置がダウンリンク・データを全く又は殆ど有しないことを必要とはしないことが望ましいであろうし、それは、電力消費量の著しい減少に帰着する可能性がある。センサー装置は、デューティー・サイクルが低い通信トラフィックによって特徴付けられるだろう。送信動作の間において、それらはスリープ状態またはサスペンド状態に切り換わることによりエネルギーを温存することが可能である。センサー装置はＵＬ送信のためにウェイクアップ状態に移行する。
【００２２】
ここでの検討は、ダウンリンク・データおよびダウンリンク送信用のＴＩＭビットマップに注目しているが、本明細書中に示された例示的な実施例は、アップリンク・データおよびアップリンク送信用のＴＩＭビットマップに関しても動作可能である点に留意されたい。したがってダウンリンク・データおよびダウンリンク送信用のＴＩＭビットマップに関するここでの検討内容は、本発明に係る例示的な実施例の技術的範囲あるいは技術思想のいずれかを制限するような意味に解釈されるべきではない。
【００２３】
例示的な実施例に従うならば、通信システムにおけるステーションはそれらのＴＩＭステータスに従って２つのタイプのうちの一方に分類されることが可能であり、つまり、ダウンリンク・データおよび／またはアップリンク・データのシグナリングのためにＴＩＭビットマップを使用するのか使用しないのかに応じて当該ステーションが分類される。第１のタイプのステーションは、ＴＩＭ（又はＴＩＭを必要とする)ステーションと呼ばれることが可能であり、ダウンリンク・データおよび／またはアップリンク・データのシグナリングのためにＴＩＭビットマップを使用するステーションを含む。ＴＩＭステーションの具体例には、通信トラフィックのオフロード装置、ＵＥ、コンピューター、タブレット端末などを含むことが可能である。第２のタイプのステーションは、非ＴＩＭ（又はＴＩＭを必要としない）ステーションと呼ばれることが可能であり、ＴＩＭビットマップをダウンリンク・データおよび／またはアップリンク・データのシグナリングのために使用しないステーションを含んでいる。非ＴＩＭ装置の具体例には、ダウンリンク・データおよび／またはアップリンク・データを殆ど又は全く持たないセンサー装置やその他の装置を含んでいる。表１および表２は、ダウンリンク・データおよび／またはアップリンク・データのシグナリングのためステーションのタイプを要約した結果を示す。
【００２４】
【表１】
0005873565.tif 000002
【００２５】
【表２】
0005873565.tif 000003
【００２６】
表１に示されるように、ダウンリンク・データを殆ど又は全く持たない場合、ステーションは非ＴＩＭステーションとして分類されることが可能である。同様に、表２に示されるように、アップリンク・データを殆ど又は全く持たない場合、ステーションは非ＴＩＭステーションとして分類されることが可能である。
【００２７】
一つの例示的な実施例に従うならば、ステーションのタイプ（例えばＴＩＭあるいは非ＴＩＭのいずれか）は、（例えば、ステーションの性質やステーションにとっての必要性に従って検知される等して）自動的に検知されることが可能である。
【００２８】
図３ａは、ＡＰがステーションのタイプを自動的に検知する際に、ＡＰ内において実行される動作300の流れを示す例示的なフローチャートを示す。ステーションにおけるＴＩＭの必要性あるいはステーションの性格（例えば、センサー装置であるか又は通信トラフィック・オフロード装置であるかなど）をＡＰが自動的に検知することによってによって一連の動作300は開始されることが可能である（ブロック305）。ＡＰは、ステーションに関して自動的に検知された情報に従ってステーションのタイプを設定することが可能である（ブロック307）。一例として、ステーションがセンサー装置である場合、ステーションは非ＴＩＭステーションに設定されることが可能である。一方、ステーションが通信トラフィックのオフロード装置である場合には、ステーションは、ステーションのタイプをＴＩＭステーションに設定することが可能である。さらに別の例として、ダウンリンク・データが全く無いか殆ど無いという必要条件をステーションが満たす場合、ステーションは、ステーションのタイプを非ＴＩＭステーションに設定することが可能である。さらに別の例として、ＡＰは、加入者データベースからステーションに関する情報を得ることが可能である。
【００２９】
代替的で例示的な実施例に従うならば、ステーションのタイプは、交渉によって取り決めることが可能である。一例として、ステーションのタイプはステーションとＡＰとの間において交渉されることが可能である。あるいはステーションが通信システムにアタッチしている場合あるいは通信システムへとハンドオーバーしている場合には、ステーションのタイプは、ステーションとアクセス制御機構やＡＡＡ（authentication,  authorization,  and  accounting）サーバー等のようなより高レベルのネットワーク・エンティティとの間において交渉されることが可能である。一例として、ＡＰあるいはより高レベルのネットワーク・エンティティは、ステーションが接続しようとする目的に関して質問することが可能であり、ステーションのタイプをそれに従って設定することが可能である。さらに別の一例として、ＡＰあるいはより高レベルのネットワーク・エンティティは、帯域幅の要件、通信トラフィックの性質、通信トラフィックの優先度などに関して質問することが可能であり、ステーションのタイプをそれらに従って設定することが可能である。さらに別の例として、ステーションは、メッセージ（例えば、関連付けメッセージ、認証メッセージあるいは他の何らかのメッセージ）を介して自身がＴＩＭを必要とするか否かに関してアナウンスすることが可能である。ステーションは、自身がＵＬ送信を主とする装置であり、ＤＬ送信の必要性が全く無いか又は殆ど無く、ＴＩＭ情報を必要としない旨を宣言することが可能であり、それによって、当該ステーションのタイプをＡＰが非ＴＩＭに設定するようにする。同様に、ステーションは、自身がＤＬ送信を主とする装置であり、ＴＩＭ情報を必要とする旨を宣言することが可能であり、それによって、当該ステーションのタイプをＡＰがＴＩＭに設定するようにする。
【００３０】
図３ｂは、ＡＰがステーションからの宣言を使用してステーションのタイプを検知する際に、ＡＰ内において実行される動作320の流れを示す例示的なフローチャートを示す図である。一連の動作320は、ステーションからＴＩＭ宣言をＡＰが受信することから開始されることが可能である（ブロック325）。一例として、ステーションは、自身が非ＴＩＭステーションあるいはＴＩＭステーションであると宣言することが可能である。さらに別の例として、ステーションは、自身がダウンリンク・データを全く有さないか殆ど有さないとの必要条件を満たし、あるいはその他の何らかのレベル（例えば、小さな、中くらい、大きな等）のダウンリンク・データの必要条件を満たしている旨を宣言することが可能である。ＡＰはステーションの宣言に従って、ステーションのタイプを設定することが可能である（ブロック327）。
【００３１】
更に、ステーションのタイプは、ステーションの全寿命期間を通じて変化する可能性がある。一例として、ステーションがある期間にわたって相当量のダウンリンク・データを受信する必要がある場合やステーションが指定された頻度でダウンリンク・データを要求している場合には、非ＴＩＭステーションはＴＩＭステーションに変化する可能性がある。同様に、ステーションのバッテリーが消耗して低出力になったり、指定された期間にわたってステーションのユーザが如何なる通信動作も開始しない場合、ＴＩＭステーションは非ＴＩＭステーションに変化する可能性がある。ステーションのタイプが変化する動作、より高レベルのネットワーク・エンティティ等のような、本明細書中に開示される例示的な実施例は、単なる例示的な具体例であり、実施可能な例示的な実施例の網羅的な一覧であるようには意図されない。
【００３２】
一旦ＡＰがステーションのステーション・タイプを設定すると、当該ステーションのステーション・タイプ（ＴＩＭあるいは非ＴＩＭのいずれか）を当該ステーションに通知するために、ＡＰは当該ステーションへメッセージを送信することが可能である。ステーションのタイプがＴＩＭである場合、当該ステーションは、ビーコン信号に加えＴＩＭも検知し、復号化することが可能であり、ステーションのタイプが非ＴＩＭである場合には、当該ステーションは、ビーコン信号を検知し復号化する処理については実行してもしなくても良いが、ＴＩＭの検知動作と復号化動作の実行は回避することが可能である。例示的な実施例に従うならば、ＡＰがステーションのステーション・タイプを変更する場合、ＡＰはステーションのアドレス識別子（ＡＩＤ）を変更することが可能である。ステーションにステーション・タイプを通知するために使用された同じメッセージ中に情報を埋め込むことにより、ＡＰは、当該ステーションのＡＩＤを当該ステーションに通知することが可能であり、あるいは当該ステーションのＡＩＤを当該ステーションに通知するための個別のメッセージをＡＰが送信することが可能である。
【００３３】
図４はＡＰが非ＴＩＭステーションにダウンリンク・データを供給する際に、ＡＰ内において実行される動作400の流れを示す例示的なフローチャートを示す図である。一連の動作400は、ＡＰが非ＴＩＭステーション（例えば、ダウンリンク・データが全く無い又は殆ど無いという必要条件を備えたセンサー装置あるいはステーションなど）にダウンリンク・データを供給する際に、ＡＰ（例えば、ＡＰ255）内において実行される動作を表すことが可能である。
【００３４】
一連の動作400は、ＴＩＭビットマップを含んでいるビーコン信号をＡＰが送信することにより開始されることが可能である（ブロック405）。ＡＰはビーコン信号をブロードキャストすることが可能であり、それにより、ＡＰの送信可能範囲内において動作しているステーションが当該ビーコン信号を検知し、復号化するために当該ビーコン信号を利用可能にする。しかしながら、ＡＰの送信可能範囲内において動作している全ての装置がビーコン信号全体を検知し、復号化するとは限りらない。一例として、ＡＰがＴＩＭステーションのためにダウンリンク・データを保持しているか否かを判断するためのＴＩＭビットマップを含んでいるＴＩＭステーションは、ビーコン信号を検知し、復号化することとなる。しかしながら、非ＴＩＭステーションは、ビーコン信号の一部を検知し、復号化することが可能である。一例として、非ＴＩＭステーションは、当該ビーコン信号内のＴＩＭビットマップ部分を無視する一方で、当該ビーコン信号内の共通の部分を検知し、復号化することが可能である。非ＴＩＭステーションはさらに、ビーコン信号を完全に無視することも可能である。一例として、非ＴＩＭステーションは、ＡＰによって送信されたビーコン信号の第１の部分集合を無視することが可能であり、ＡＰによって送信されたビーコン信号の第２の部分集合を検知し、復号化することが可能である。非ＴＩＭステーションは、ＡＰによって送信されたビーコン信号を１つおきに、２つおきに、３つおきに、４つおきに、５つおきに検知し、復号すると同時に、他のビーコン信号を全て無視すること等が可能であり、以下同様である。
【００３５】
ＡＰは非ＴＩＭステーションから送信を受信することが可能である（ブロック410）。非ＴＩＭステーションからの送信は、情報を含むことが可能である。非ＴＩＭステーションからの送信は、ダウンリンク・データの要求とすることが可能である。当該要求は、暗黙的になされるダウンリンク・データの要求あるいは明示的になされるダウンリンク・データの要求とすることが可能である。ダウンリンク・データの暗黙的な要求は、非ＴＩＭステーションから送信された（センサー・データ、ユーザ・データ等のような）アップリンク・データの形態をとることが可能である。ダウンリンク・データの明示的な要求は、非ＴＩＭステーションから送信された（PS  POLLメッセージ等のような）リクエスト・メッセージの形態をとることが可能である。
【００３６】
ＡＰは、非ＴＩＭステーションのための個々に宛先アドレス指定された任意のダウンリンク・データ（例えば、MSDUおよび／またはMMPDUなど）を、ＡＰ自身がバッファリングしているか否かを判断するためにチェックを行うことが可能である（ブロック415）。非ＴＩＭステーションのためにＡＰがダウンリンク・データをバッファリングしている場合には、当該ＡＰは、当該バッファリングされているダウンリンク・データを非ＴＩＭステーションに対して送信することが可能である（ブロック420）。ブロック410において、ＡＰは、直ちに非ＴＩＭステーションへバッファリングされているダウンリンク・データを送信することが可能であり、あるいは当該ＡＰは、非ＴＩＭステーションから受信した送信に対する応答を最初に送信し、それに続いて、当該ＡＰは、非ＴＩＭステーションに対して当該バッファリングされているダウンリンク・データを送信することが可能である。ブロック410において、ダウンリンク・データの送信あるいは非ＴＩＭステーションからの送信に対する応答の送信はさらに、非ＴＩＭステーションからの送信に対する肯定応答（ＡＣＫ）としての役割を果たすことが可能である。ブロック410において、APに非ＴＩＭステーションのためにバッファリングされているダウンリンク・データが無い場合、ＡＰは非ＴＩＭステーションからの送信に対して肯定応答（ＡＣＫ）を返信することが可能である。
【００３７】
図５ａは、ダウンリンク・データの暗黙的な要求に応答して非ＴＩＭステーションに対してダウンリンク・データをＡＰが送信する際に、ＡＰ内において実行される動作500の流れを示す例示的なフローチャートを示す図である。一連の動作500は、ダウンリンク・データが全く無い又は殆ど無いという必要条件を備えた、センサー装置あるいはステーションのような非ＴＩＭステーションにダウンリンク・データをＡＰが供給する際に、ＡＰ（例えば、ＡＰ255）内において実行される動作を表し得る。
【００３８】
一連の動作500は、ＴＩＭビットマップを含むビーコン信号をＡＰが送信することによって開始されることが可能である（ブロック505）。ＡＰは非ＴＩＭステーションからアップリンク・データを受信することが可能である（ブロック507）。非ＴＩＭステーションからのアップリンク・データは、ＡＰからのダウンリンク・データの暗黙的な要求としての役割を果たすことが可能である。ＡＰは、非ＴＩＭステーションのために当該ＡＰ自身が任意のダウンリンク・データを保持しているか否かを判断するためにチェックを行うことが可能である（ブロック509）。そうである場合には、ＡＰは非ＴＩＭステーションに対してダウンリンク・データを送信することが可能である（ブロック511）。
【００３９】
図５ｂは、ダウンリンク・データの暗黙的な要求に応答して非ＴＩＭステーションに対してダウンリンク・データについての表示情報をＡＰが送信する際に、ＡＰ内において実行される動作520の流れを示す例示的なフローチャートを示す図である。一連の動作520は、ダウンリンク・データが全く無い又は殆ど無いという必要条件を備えた、センサー装置あるいはステーションのような非ＴＩＭステーションにダウンリンク・データをＡＰが供給する際に、ＡＰ（例えば、ＡＰ255）内において実行される動作を表し得る。
【００４０】
一連の動作520は、ＴＩＭビットマップを含むビーコン信号をＡＰが送信することによって開始されることが可能である（ブロック525）。ＡＰは非ＴＩＭステーションからアップリンク・データを受信することが可能である（ブロック527）。非ＴＩＭステーションからのアップリンク・データは、ＡＰからのダウンリンク・データの暗黙的な要求としての役割を果たすことが可能である。ＡＰは、非ＴＩＭステーションのために当該ＡＰ自身が任意のダウンリンク・データを保持しているか否かを判断するためにチェックを行うことが可能である（ブロック529）。そうである場合には、ＡＰは非ＴＩＭステーションに対してダウンリンク・データについての表示情報（例えば、データ表示情報、時間表示情報など）を送信することが可能であり（ブロック531）、それに続いて、非ＴＩＭステーションに対してダウンリンク・データを送信することが可能である（ブロック533）。表示情報の代わりとして、ＡＰによって何らかの情報が非ＴＩＭステーションに対して送信されることが可能である。
【００４１】
データ表示情報は、非ＴＩＭステーションを宛先として意図しているダウンリンク・データをＡＰが保持している旨を非ＴＩＭステーションに示すために使用される１つ以上のビット・インジケータとすることが可能である。時間表示情報は、非ＴＩＭステーションを宛先として意図しているダウンリンク・データをＡＰが非ＴＩＭステーションに向けて送信する時刻を非ＴＩＭステーションに対して示すために使用される１つ以上のビット・インジケータとすることが可能である。時間表示情報は、時刻の絶対的な値あるいは時刻の相対的な値（時間表示情報の送信時刻、ビーコン信号、フレーム境界などのタイミング基準として参照される）を提供することが可能である。
【００４２】
図５ｃは、非ＴＩＭステーションに対してダウンリンク・データについての表示情報を、ダウンリンク・データの暗黙的な要求に応答して肯定応答（ＡＣＫ）にピギーバックする形でＡＰが送信する際に、ＡＰ内において実行される動作540の流れを示す例示的なフローチャートを示す図である。一連の動作540は、ダウンリンク・データが全く無い又は殆ど無いという必要条件を備えた、センサー装置あるいはステーションのような非ＴＩＭステーションにダウンリンク・データをＡＰが供給する際に、ＡＰ（例えば、ＡＰ255）内において実行される動作を表し得る。
【００４３】
一連の動作540は、ＴＩＭビットマップを含むビーコン信号をＡＰが送信することによって開始されることが可能である（ブロック545）。ＡＰは非ＴＩＭステーションからアップリンク・データを受信することが可能である（ブロック547）。非ＴＩＭステーションからのアップリンク・データは、ＡＰからのダウンリンク・データの暗黙的な要求としての役割を果たすことが可能である。ＡＰは、非ＴＩＭステーションのために当該ＡＰ自身が任意のダウンリンク・データを保持しているか否かを判断するためにチェックを行うことが可能である（ブロック549）。そうである場合には、ＡＰは、非ＴＩＭステーションに対してダウンリンク・データについての表示情報（例えば、データ表示情報、時間表示情報など）を送信することが可能である（ブロック551）。ブロック547において、ダウンリンク・データの表示は、非ＴＩＭステーションから受信されたアップリンク・データの肯定応答（ＡＣＫ）と共にピギーバックされることが可能である。それに続いて、ＡＰは、非ＴＩＭステーションに対してダウンリンク・データを送信することが可能である（ブロック553）。
【００４４】
図５ｄは、ダウンリンク・データの明示的な要求に応答して非ＴＩＭステーションに対してダウンリンク・データをＡＰが送信する際に、ＡＰ内において実行される動作560の流れを示す例示的なフローチャートを示す図である。一連の動作560は、ダウンリンク・データが全く無い又は殆ど無いという必要条件を備えた、センサー装置あるいはステーションのような非ＴＩＭステーションにダウンリンク・データをＡＰが供給する際に、ＡＰ（例えば、ＡＰ255）内において実行される動作を表し得る。
【００４５】
一連の動作560は、ＴＩＭビットマップを含むビーコン信号をＡＰが送信することによって開始されることが可能である（ブロック565）。非ＴＩＭステーションからのダウンリンク・データのために、ＡＰは、PS  POLL等のようなリクエスト・メッセージあるいはポーリング信号を受信することが可能である。当該リクエスト・メッセージあるいはポーリング信号は、ＡＰからのダウンリンク・データの明示的な要求としての役割を果たすことが可能である。ＡＰは、非ＴＩＭステーションのために当該ＡＰ自身が任意のダウンリンク・データを保持しているか否かを判断するためにチェックを行うことが可能である（ブロック569）。そうである場合には、ＡＰは、非ＴＩＭステーションに対してダウンリンク・データを送信することが可能である（ブロック571）。代替的に、ＡＰは非ＴＩＭステーションに対してダウンリンク・データについての表示情報を送信することが可能であり、それに続いて、非ＴＩＭステーションに対してダウンリンク・データを送信することが可能である。
【００４６】
図６は、非ＴＩＭステーションがダウンリンク・データを要求し、受信する際に、非ＴＩＭステーション内において実行される動作600の流れを示す例示的なフローチャートを示す図である。一連の動作600は、非ＴＩＭステーション（例えば、センサー260やセンサー262）がＡＰからダウンリンク・データを要求し、ＡＰから当該ダウンリンク・データを受信する際に、非ＴＩＭステーション内において実行される動作を表し得る。
【００４７】
一連の動作600は、ダウンリンク・データの要求をＡＰに対して非ＴＩＭステーションが送信することにより開始されることが可能である（ブロック605）。ダウンリンク・データの要求は、暗黙的なリクエストあるいは明示的なリクエストとすることが可能である。一例として、暗黙的なリクエストは、非ＴＩＭステーションからのアップリンク・データの送信の形態をとることが可能である一方で、明示的なリクエストは、PS  POLL等のようなリクエスト・メッセージあるいはポーリング・メッセージの形態をとることが可能である。続いて、非ＴＩＭステーションは、ＡＰからダウンリンク・データを受信することが可能である（ブロック610）。非ＴＩＭステーションは、ＡＰからの送信データ内においてダウンリンク・データを受信することが可能であり、あるいは、非ＴＩＭステーションは、送信データ内においてダウンリンク・データについての表示情報を受信し、それに続いて、ダウンリンク・データを受信することが可能である。
【００４８】
図７ａは、非ＴＩＭステーションが、暗黙的な要求によってダウンリンク・データを要求し、受信する際に、非ＴＩＭステーション内において実行される動作700の流れを示す例示的なフローチャートを示す図である。一連の動作700は、非ＴＩＭステーション（例えば、センサー260やセンサー262）がＡＰからのダウンリンク・データを要求し、ダウンリンク・データをＡＰから受信する際に、非ＴＩＭステーション内において実行される動作を表し得る。
【００４９】
一連の動作700は、アップリンク・データを非ＴＩＭステーションがＡＰに対して送信することにより開始されることが可能である（ブロック705）。アップリンク・データの送信は、非ＴＩＭステーションからのダウンリンク・データの暗黙的な要求としての役割を果たすことが可能である。非ＴＩＭステーションはＡＰからダウンリンク・データを受信することが可能である（ブロック707）。
【００５０】
非ＴＩＭステーションは、復号化の開始を指示する情報などのような指示情報をＡＰから受信することが可能である。続いて、非ＴＩＭステーションは、ビーコン信号内のＴＩＭ部分を復号化する動作を開始することが可能である。その後、非ＴＩＭステーションはＴＩＭステーションとなる。上述した「復号化の開始を指示する情報」は、個別のメッセージ中において受信されるか、あるいは別のメッセージ中にピギーバックされている。
【００５１】
代替的に、非ＴＩＭステーションは、当該指示情報がＴＩＭシグナリング中に含められることを要求する「包含リクエスト・メッセージ」をＡＰに対して送信することが可能である。その後、非ＴＩＭステーションは、ビーコン信号のＴＩＭ部分を復号化する動作を開始することが可能である。上述した「包含リクエスト・メッセージ」は個別のメッセージ中において送信されることが可能であり、あるいは別のメッセージ中にピギーバックされていても良い。
【００５２】
ＴＩＭステーションは、復号化の中止を指示する情報などのような指示情報をＡＰから受信することが可能である。続いて、ＴＩＭステーションは、ビーコン信号のＴＩＭ部分を復号化する動作を中止することが可能である。その後、ＴＩＭステーションは非ＴＩＭステーションとなる。上述した「復号化の中止を指示する情報」は個別のメッセージ中において送信されることが可能であり、あるいは別のメッセージ中にピギーバックされていても良い。
【００５３】
代替的に、ＴＩＭステーションは、当該指示情報がＴＩＭシグナリングから除外されることを要求する「除外リクエスト・メッセージ」をＡＰに対して送信することが可能である。続いて、ＴＩＭステーションは、ビーコン信号のＴＩＭ部分を復号化する動作を中止することが可能である。上述した「除外リクエスト・メッセージ」は個別のメッセージ中において送信されることが可能であり、あるいは別のメッセージ中にピギーバックされていても良い。
【００５４】
図７ｂは、非ＴＩＭステーションが、暗黙的な要求によってダウンリンク・データを要求して受信し、ダウンリンク・データについての表示情報を受信する際に、非ＴＩＭステーション内において実行される動作720の流れを示す例示的なフローチャートを示す図である。一連の動作720は、非ＴＩＭステーション（例えば、センサー260やセンサー262）がＡＰからのダウンリンク・データを要求し、ダウンリンク・データをＡＰから受信する際に、非ＴＩＭステーション内において実行される動作を表し得る。
【００５５】
一連の動作720は、アップリンク・データを非ＴＩＭステーションがＡＰに対して送信することにより開始されることが可能である（ブロック725）。アップリンク・データの送信は、非ＴＩＭステーションからのダウンリンク・データの暗黙的な要求としての役割を果たすことが可能である。非ＴＩＭステーションはＡＰからのダウンリンク・データについての表示情報（例えば、データ表示情報、時間表示情報など）を受信したか否かの判断するためにチェックを行うことが可能であり（ブロック727）、そうである場合、非ＴＩＭステーションは、ＡＰからダウンリンク・データを受信することが可能である（ブロック729）。表示情報の代わりとして、ＡＰによって何らかの情報が非ＴＩＭステーションに対して送信されることが可能である。
【００５６】
データ表示情報は、非ＴＩＭステーションを宛先として意図しているダウンリンク・データをＡＰが保持している旨を非ＴＩＭステーションに示すために使用される１つ以上のビット・インジケータとすることが可能である。時間表示情報は、非ＴＩＭステーションを宛先として意図しているダウンリンク・データをＡＰが非ＴＩＭステーションに向けて送信する時刻を非ＴＩＭステーションに対して示すために使用される１つ以上のビット・インジケータとすることが可能である。時間表示情報は、時刻の絶対的な値あるいは時刻の相対的な値（時間表示情報の送信時刻、ビーコン信号、フレーム境界などのタイミング基準として参照される）を提供することが可能である。
【００５７】
図７ｃは、非ＴＩＭステーションが、明示的な要求によってダウンリンク・データを要求し、受信する際に、非ＴＩＭステーション内において実行される動作740の流れを示す例示的なフローチャートを示す図である。一連の動作740は、非ＴＩＭステーション（例えば、センサー260やセンサー262）がＡＰからのダウンリンク・データを要求し、ダウンリンク・データをＡＰから受信する際に、非ＴＩＭステーション内において実行される動作を表し得る。
【００５８】
一連の動作740は、非ＴＩＭステーションがウェイクアップ状態に移行するか、さもなければ、ダウンリンク・データを受信するプロセスを開始することにより開始されることが可能である（ブロック745）。非ＴＩＭステーションは、ダウンリンク・データの要求をＡＰに対して送信することが可能である（ブロック747）。当該要求は、非ＴＩＭステーションからのダウンリンク・データの明示的な要求としての役割を果たすことが可能であり、PS  POLL等のようなポーリング・メッセージの形態をとることが可能である。非ＴＩＭステーションはＡＰからダウンリンク・データを受信することが可能である（ブロック749）。
【００５９】
図７ｄは、非ＴＩＭステーションが、明示的な要求によってダウンリンク・データを要求して受信し、ダウンリンク・データについての表示情報を受信する際に、非ＴＩＭステーション内において実行される動作760の流れを示す例示的なフローチャートを示す図である。一連の動作760は、非ＴＩＭステーション（例えば、センサー260やセンサー262）がＡＰからのダウンリンク・データを要求し、ダウンリンク・データをＡＰから受信する際に、非ＴＩＭステーション内において実行される動作を表し得る。
【００６０】
一連の動作760は、非ＴＩＭステーションがウェイクアップ状態に移行するか、さもなければ、ダウンリンク・データを受信するプロセスを開始することにより開始されることが可能である（ブロック765）。非ＴＩＭステーションは、ダウンリンク・データの要求をＡＰに対して送信することが可能である（ブロック767）。当該要求は、非ＴＩＭステーションからのダウンリンク・データの明示的な要求としての役割を果たすことが可能であり、PS  POLL等のようなポーリング・メッセージの形態をとることが可能である。非ＴＩＭステーションは、ＡＰからの応答信号を受信することが可能である（ブロック769）。当該応答信号は、ブロック767において送信されたダウンリンク・データへの要求から発生することが可能である。非ＴＩＭステーションはＡＰからのダウンリンク・データについての表示情報を受信したか否かの判断するためにチェックを行うことが可能であり（ブロック771）、そうである場合、非ＴＩＭステーションは、ＡＰからダウンリンク・データを受信することが可能である（ブロック773）。
【００６１】
図８ａは、多数のステーション・タイプをサポートするための第１のビーコン信号800を示す図である。例示的な実施例に従うならば、多数のステーション・タイプをサポートするために、ビーコン信号は個別の共通のデータ領域および個別のＴＩＭ領域を含むことが可能である。更に、ＴＩＭ領域に興味を持たないステーションが共用領域を検知し、復号化するために、ＴＩＭ領域を検知し、符号化する必要がないようにするために、共通のデータ領域およびＴＩＭ領域は別々に符号化されるべきである。第１のビーコン信号800は、ビーコン信号指示情報807を含むことが可能なＳＩＧ（信号）ＰＨＹ（物理層）プリアンブル部805を含んでおり、ビーコン信号指示情報807は、ビーコン信号が送信されていることを示す１つ以上のビット・インジケータとすることが可能である。SIG  PHYプリアンブル部805は、さらに第１のビーコン信号800の共通のデータ領域の持続時間長（例えば、時間の単位またはシンボル数の単位で表される持続時間長）を示すデータ持続時間フィールド809および第１のビーコン信号800のＴＩＭ領域の持続時間長（例えば、時間の単位またはシンボル数の単位で表される持続時間長）を示すＴＩＭ持続時間フィールド811を含むことが可能である。
【００６２】
第１のビーコン信号800は、さらに共通のデータ・フィールド813および共通のデータ・フィールド813のための巡回冗長検査符号（ＣＲＣ）フィールド815を含む共通のデータ領域に加え、ＴＩＭビットマップ817およびＴＩＭビットマップ817のためのＣＲＣフィールド819を含むＴＩＭ領域を含んでいる。上述したように、共通のデータ・フィールド813の持続期間はデータ持続時間フィールド809によって指定されることが可能である一方で、ＴＩＭ持続時間フィールド811は、ＴＩＭビットマップ817の持続時間を指定することが可能である。さらに、ＴＩＭビットマップに興味を持たないステーションが共通のデータ・フィールド813を検知し復号化するために、ＴＩＭビットマップ817を検知し、復号化することを必要としなくても良いように、共通のデータ・フィールド813およびＴＩＭビットマップ817は別々に符号化されることが可能である。
【００６３】
図８ｂは、多数のステーション・タイプをサポートするための第２のビーコン信号830を示す図である。第２のビーコン信号830は、ビーコン信号が送信されていることを示すためにビーコン信号指示情報837を含むことが可能なSIG  PHY  プリアンブル部835および第２のビーコン信号830が別々に符号化された情報の２個以上のブロックを含むことを示す、個別に符号化されたブロックを示す指示情報839を含んでいる。ビーコン信号指示情報837は、個別に符号化されたブロックを示す指示情報839の代わりに使用されてもよいことに留意されたい。この事は、そのビーコン信号指示情報837が、ビーコン信号が送信されていることと、ビーコン信号が、別々に符号化された情報の２個以上のブロックを含んでいることの両方を示すことが可能であることを意味している。SIG  PHYプリアンブル部835は、さらに第２のビーコン信号830の共通のデータ領域の持続時間長（例えば、時間の単位またはシンボル長の単位で表される持続時間長）を示すデータ持続時間フィールド841および第２のビーコン信号830のＴＩＭ領域の持続時間長（例えば、時間の単位またはシンボル数の単位で表される持続時間長）を示すＴＩＭ持続時間フィールド843を含むことが可能である。
【００６４】
第２のビーコン信号830は、さらに共通のデータ・フィールド845と共通のデータ・フィールド845のための巡回冗長検査符号（ＣＲＣ）フィールド847を含む共通のデータ領域に加え、ＴＩＭビットマップ849およびＴＩＭビットマップ849のためのＣＲＣフィールド851を含むＴＩＭ領域を含んでいる。上述したように、共通のデータ・フィールド845の持続期間はデータ持続時間フィールド841によって指定されることが可能である一方で、ＴＩＭ持続時間フィールド843は、ＴＩＭビットマップ849の持続時間を指定することが可能である。さらに、ＴＩＭビットマップに興味を持たないステーションが共通のデータ・フィールド845を検知し復号化するために、ＴＩＭビットマップ849を検知し、復号化することを必要としなくても良いように、共通のデータ・フィールド845およびＴＩＭビットマップ849は別々に符号化されることが可能である。
【００６５】
図８ｃは、多数のステーション・タイプをサポートするための第１のビーコン信号860を示す図である。第３のビーコン信号860は、ビーコン信号が送信されていることを示すためにビーコン信号指示情報867を含むことが可能なSIG  PHYプリアンブル部865を含んでいる。SIG  PHYプリアンブル部865は、さらに第３のビーコン信号860の共通のデータ領域の持続時間長（例えば、時間の単位またはシンボル長の単位で表される持続時間長）を示すデータ持続時間フィールド869をさらに含むことが可能である。
【００６６】
第３のビーコン信号860は、第３のビーコン信号860のＴＩＭ領域の持続時間長（例えば、時間の単位またはシンボル数の単位で表される持続時間長）を示すＴＩＭ持続時間フィールド873を含む共通のデータ領域871をさらに含むことが可能である。共通のデータ領域871はさらに追加的なデータ・フィールド875および共通のデータ・フィールド871のためのＣＲＣフィールド877に加え、ＴＩＭビットマップ879およびＴＩＭビットマップ879のためのＣＲＣフィールド881を含むＴＩＭ領域を含んでいる。第３のビーコン信号860を使用する場合、非ＴＩＭステーションはデータ持続時間フィールド869を使用して、共通のデータ領域871だけを検知し復号化することが可能である一方で、共通のデータ領域871中におけるＴＩＭ持続時間フィールド873を使用して、ＴＩＭステーションは、ＴＩＭ領域を検知し復号化することが可能である。
【００６７】
代替的な例示的実施例に従うならば、ビーコン信号はＴＩＭ領域を含んでいなくても良い。ビーコン信号は共通のデータ領域だけを含むことが可能であり、対応するＴＩＭ領域は、別途のメッセージ中において送信されることが可能であり、当該別途のメッセージによる送信は、別途のビーコン信号あるいはビーコンではない別途の信号の送信によるものとしても良い。対応するＴＩＭ領域は、もともと周期的であっても良く、周期的でなくても良く、通信トラフィック（例えばダウンリンクの通信トラフィックまたはそのパターン）に基づいて適応的に送信されることも可能であり、あるいはステーションからの要求に応じて提供されることも可能である。
【００６８】
上述したように、共通のデータ・フィールド845の持続期間は、データ持続時間フィールド841によって指定されることが可能である一方、ＴＩＭ持続時間フィールド843は、ＴＩＭビットマップ849の持続期間を指定することが可能である。さらに、ＴＩＭビットマップに興味を持たないステーションが共通のデータ・フィールド845を検知し復号化するために、ＴＩＭビットマップ849を検知し、復号化することを必要としなくても良いように、共通のデータ・フィールド845およびＴＩＭビットマップ849は別々に符号化されることが可能である。
【００６９】
図９ａは、ＡＰがビーコン信号を生成する際に、ＡＰ内において実行される動作900の流れを示す例示的なフローチャートを示す図である。一連の動作900は、ＡＰがビーコン信号を生成する際に、ＡＰ（ＡＰ255）内において実行される動作を表し得る。ＡＰによって生成されたビーコン信号は、ＴＩＭステーションおよび非ＴＩＭステーションの動作のためのサポートを含んでいる。
【００７０】
一連の動作900は、ビーコン信号のためにSIG  PHYプリアンブル部をＡＰが生成することによって開始されることが可能である（ブロック905）。SIG  PHYプリアンブル部はビーコン信号指示情報および／または個別に符号化されたブロックの指示情報を含むことが可能である。SIG  PHYプリアンブル部はさらに、データの持続時間に関する情報を含むことが可能である。ビーコン信号によって、SIG  PHYプリアンブル部はさらに、ＴＩＭの持続時間に関する情報を含むことが可能である。
【００７１】
ＡＰは、プリアンブル部の共通のデータ部分の中に含められる情報を生成し符号化することが可能であり、それは、ＴＩＭステーションおよび非ＴＩＭステーションの両方によって検知され復号化されることが可能である（ブロック907）。プリアンブル部の共通のデータ部分がＴＩＭの持続時間に関する情報をさらに含んでいるならば、ＡＰは、そのような情報を共通のデータ部分に配置することが可能である。ＡＰは、プリアンブル部の共通のデータ部分のために、ＣＲＣを生成することが可能である。ＡＰは、プリアンブル部のＴＩＭ部分に含められる情報を生成し符号化することが可能であり、それは、ＴＩＭステーションによって検知され復号化されることが可能である（ブロック909）。ＡＰは、プリアンブル部のＴＩＭ部分のためのＣＲＣを生成することが可能である。ＡＰはプリアンブル部を送信することが可能である。
【００７２】
図９ｂは、ＴＩＭステーションがビーコン信号を受信する際に、ＴＩＭステーション内において実行される動作930の流れを示す例示的なフローチャートを示す図である。一連の動作930は、ＴＩＭステーション（例えば、オフロード装置265およびオフロード装置267など）がビーコン信号を受信する際に、ＴＩＭステーション内において実行される動作を表し得る。
【００７３】
一連の動作930は、ＴＩＭステーションが、ビーコン信号のSIG  PHYプリアンブル部を検知することによって開始されることが可能である（ブロック935）。ビーコン信号の具体的な構成に依存して、SIG  PHYプリアンブル部は、ビーコン信号指示情報、個別に符号化されたブロックの指示情報、データ持続時間に関する情報、ＴＩＭの持続時間に関する情報、共通のデータ、ＴＩＭビットマップ、およびこれらの組み合わせ含むことが可能である。ＴＩＭステーションは、ビーコン信号の共通のデータ部分を検知し復号化することが可能である（ブロック937）。ＴＩＭステーションは、ＴＩＭビットマップ中の情報を必要とするので、ＴＩＭステーションは、ビーコン信号のＴＩＭ部分をさらに検知し復号化することが可能である（ブロック939）。
【００７４】
図９ｃは、非ＴＩＭステーションがビーコン信号を受信する際に、非ＴＩＭステーション内において実行される動作960の流れを示す例示的なフローチャートを示す図である。一連の動作960は、非ＴＩＭステーション（例えば、センサー260やセンサー262）がビーコン信号を受信する際に、非ＴＩＭステーション内において実行される動作を表し得る。
【００７５】
一連の動作960は、非ＴＩＭステーションが、ビーコン信号のSIG  PHYプリアンブル部を検知することによって開始されることが可能である（ブロック965）。ビーコン信号の具体的な構成に依存して、SIG  PHYプリアンブル部は、ビーコン信号指示情報、個別に符号化されたブロックの指示情報、データ持続時間に関する情報、ＴＩＭの持続時間に関する情報、共通のデータ、ＴＩＭビットマップ、およびこれらの組み合わせ含むことが可能である。非ＴＩＭステーションは、ビーコン信号の共通のデータ部分を検知し復号化することが可能である（ブロック967）。しかしながら、非ＴＩＭステーションは、一般には、ＴＩＭビットマップ中の情報を必要としないので、非ＴＩＭステーションは、典型的には、ビーコン信号のＴＩＭ部分を検知も復号化もしない。しかしながら、幾つかの例示的な実施例においては、非ＴＩＭステーションは、ビーコン信号内のＴＩＭ部分を周期的にあるいは時々検知し復号化することが可能である。
【００７６】
図10は、第１の通信装置1000の例示を提供する。通信装置1000は、アクセス・ポイント、基地局、進化型ＮｏｄｅＢなどのような通信制御装置の一つの実装形態であっても良い。通信装置1000は、本明細書中で検討された実施例の様々なものを実装するために使用することが可能である。図10に示されたように、送信機1005は、パケットおよび／または信号を送信するように構成され、受信機1010は、パケットおよび／または信号を受信するように構成される。送信機1005および受信1010は、無線インターフェース、有線接続インターフェースあるいはそれらの組み合わせを有することが可能である。
【００７７】
ビーコン信号生成ユニット1020は、ＴＩＭステーションおよび非ＴＩＭステーションによる使用のためのビーコン信号を生成するように構成される。ビーコン信号はSIG  PHYプリアンブル部、共通のデータ部分、ＴＩＭ部分あるいはそれらの組み合わせを含むことが可能である。ビーコン信号は指示情報、持続時間に関する情報、ブロック符号化に関する情報あるいはそれらの組み合わせを含むことが可能である。リクエスト処理ユニット1022は、ダウンリンク・データおよび／またはアップリンク・データのようなデータへのステーションからの要求を処理するように構成されている。バッファリング・ユニット1024は、通信装置1000によって受信されたダウンリンク・データおよび／またはアップリンク・データのようなデータをバッファリングするように構成されている。メモリ1030は、ビーコン信号、持続時間に関する情報、指示情報、ＣＲＣ、共通のデータ、ＴＩＭ情報、ＴＩＭビットマップなどを格納するように構成されている。
【００７８】
通信装置1000の構成要素は、特定のハードウェア論理ブロックとして実装されることが可能である。代替的な実装として、通信装置1000の構成要素は、プロセッサー、コントローラー、特定用途向けＩＣなどにおいて実行されるソフトウェアとして実装されることが可能である。さらに別の代替的実装においては、通信装置1000の構成要素は、ソフトウェアおよび／またはハードウェアの組み合わせとして実装されることが可能である。
【００７９】
一例として、送信機1005および受信機1010は、特定のハードウェア・ブロックとして実装されることが可能である一方で、ビーコン信号生成ユニット1020、要求処理装置1022およびバッファリング・ユニット1024は、プロセッサー1015、マイクロプロセッサー、カスタム回路あるいはカスタム・コンパイルされたフィールド・プログラマブル・ロジック・アレイのロジック・アレイにおいて実行されるソフトウェア・モジュールとすることが可能である。ビーコン信号生成ユニット1020、要求処理装置1022およびバッファリング・ユニット1024は、メモリ1030内においてモジュールとして格納されることが可能である。
【００８０】
図11は、第２の通信装置1100の例示を提供する。通信装置1100は、ステーション、センサー、オフロード装置、ユーザ機器などのような通信装置の実装形態とすることが可能である。通信装置1100は、本明細書中において検討された実施例の様々なものを実装ために使用することが可能である。図11に示されたように、送信機1105は、パケットおよび／または信号を送信するように構成され、受信機1110は、パケットおよび／または信号を受信するように構成される。送信機1105および受信1110は、無線インターフェース、有線接続インターフェースあるいはそれらの組み合わせを有することが可能である。
【００８１】
要求処理ユニット1120は、通信制御装置からのダウンリンク・データおよび／またはアップリンク・データのようなデータへの要求を生成するように構成される。データへの要求は明示的なリクエストあるいは暗黙的なリクエストとすることが可能である。検知／復号化ユニット1122は、送信を検知しおよび／または復号化するように構成される。一例として、検知／復号化ユニット1122は、ビーコン信号の共通のデータ部分、ビーコン信号のＴＩＭ部分あるいはそれら両方を検知し復号化する。ビーコン信号処理ユニット1124は、ビーコン信号に含まれている情報を処理するように構成される。一例として、ビーコン信号処理ユニット1124は、共通のデータ部分の持続時間を判断するために、さらに、共通のデータ部分およびＴＩＭ部分が別々に符号化されるか否か等を判断するために、ビーコン信号を処理する。メモリ1130は、ビーコン信号、持続時間に関する情報、指示情報、ＣＲＣ、共通のデータ、ＴＩＭ情報、ＴＩＭビットマップなどを格納するように構成されている。
【００８２】
通信装置1100の構成要素は、特定のハードウェア論理ブロックとして実装されることが可能である。代替的な実装として、通信装置1100の構成要素は、プロセッサー、コントローラー、特定用途向けＩＣなどにおいて実行されるソフトウェアとして実装されることが可能である。さらに別の代替的実装においては、通信装置1100の構成要素は、ソフトウェアおよび／またはハードウェアの組み合わせとして実装されることが可能である。
【００８３】
一例として、送信機1105および受信機1110は、特定のハードウェア・ブロックとして実装されることが可能である一方で、要求処理ユニット1120、検知／復号化ユニット1122およびビーコン信号処理ユニット1124は、プロセッサー1115、マイクロプロセッサー、カスタム回路あるいはカスタム・コンパイルされたフィールド・プログラマブル・ロジック・アレイのロジック・アレイにおいて実行されるソフトウェア・モジュールとすることが可能である。要求処理ユニット1120、検知／復号化ユニット1122およびビーコン信号処理ユニット1124は、メモリ1030内においてモジュールとして格納されることが可能である。
【００８４】
本開示およびその利点は本明細書において詳細に記述されたが、本明細書に添付した請求項によって規定される本開示の技術的範囲と技術思想から逸脱すること無しに、本開示に対する様々な変更、代用および修正を実施することが可能であることが理解されるであろう。
【００８５】
[関連出願の相互参照]
本特許出願は、2011年11月18日に出願され、「ＷｉＦｉネットワーク中のダウンリンク制御およびアップリンク制御のためのシステムおよび方法」と題された米国仮特許出願第６１／５６１，７０７号、および、2012年10月10日に出願され、「通信リンク制御のためのシステムおよび方法」と題された米国特許出願第１３／６４９，０８２号に基づく優先権の利益を主張し、これらの関連出願の開示内容は、参照によって本明細書中に組み込まれる。
【図１】
0005873565.tif 000004
【図２ａ】
0005873565.tif 000005
【図２ｂ】
0005873565.tif 000006
【図３ａ】
0005873565.tif 000007
【図３ｂ】
0005873565.tif 000008
【図４】
0005873565.tif 000009
【図５ａ】
0005873565.tif 000010
【図５ｂ】
0005873565.tif 000011
【図５ｃ】
0005873565.tif 000012
【図５ｄ】
0005873565.tif 000013
【図６】
0005873565.tif 000014
【図７ａ】
0005873565.tif 000015
【図７ｂ】
0005873565.tif 000016
【図７ｃ】
0005873565.tif 000017
【図７ｄ】
0005873565.tif 000018
【図８ａ】
0005873565.tif 000019
【図８ｂ】
0005873565.tif 000020
【図８ｃ】
0005873565.tif 000021
【図９ａ】
0005873565.tif 000022
【図９ｂ】
0005873565.tif 000023
【図９ｃ】
0005873565.tif 000024
【図１０】
0005873565.tif 000025
【図１１】
0005873565.tif 000026